(57)【要約】【課題】所定の動作を行う装置の部材の移動を監視するための監視用ＩＣタグを備え、監視用ＩＣタグが交換された場合に自動的に登録情報の更新を行う、所定の動作を行う装置を提供する。【解決手段】所定の動作を行う装置に備えられているＩＣタグ監視装置は、被監視位置用の監視用アンテナから監視用呼出波を送信し（Ｓ２１）、被監視位置に備えられている監視用ＩＣタグから監視用反射波の返送があり（Ｓ２２：ＹＥＳ）、監視用反射波に含まれているＩＤコードが予め登録情報に記憶されているＩＤコードと一致しない場合には（Ｓ２７：ＮＯ）、認証状態（ＩＣタグ監視装置が正規の認証用ＩＣタグを認識している状態）であれば（Ｓ２８：ＹＥＳ）、登録情報のＩＤコードを監視用反射波に含まれているＩＤコードに変更する（Ｓ３０）。【選択図】  図１８
2004174115.tif 000002
【特許請求の範囲】
【請求項１】
所定の動作を行う装置に設けられている部材の移動を監視するための監視用ＩＣタグを備えた所定の動作を行う装置であって、
前記所定の動作を行う装置は、
前記監視用ＩＣタグと通信を行うＩＣタグ監視装置を備え、
前記監視用ＩＣタグは、
他のＩＣタグと区別するための識別情報を記憶している識別情報記憶手段を備え、
前記ＩＣタグ監視装置は、
監視のための情報であり、前記監視用ＩＣタグが備えられている位置を特定する位置特定符号に対応させて前記監視用ＩＣタグに記憶されている前記識別情報を記憶する登録情報記憶手段と、
前記監視用ＩＣタグを呼び出す監視用呼出波を送信する監視用呼出波送信手段と、
前記監視用ＩＣタグから返送される監視用反射波を受信する監視用反射波受信手段と、
前記監視用反射波に含まれている識別情報である第１識別情報が、前記登録情報記憶手段において前記監視用呼出波を送信された監視用ＩＣタグが備えられている位置の位置特定符号に対応して記憶されている識別情報である第２識別情報と一致しない場合には、第２識別情報を第１識別情報に変更する識別情報変更手段と
を備えたことを特徴とする監視用ＩＣタグを備えた所定の動作を行う装置。
【請求項２】
前記登録情報記憶手段では、前記位置特定符号を重複しないように記憶することを特徴とする請求項１に記載の監視用ＩＣタグを備えた所定の動作を行う装置。
【請求項３】
他のＩＣタグと区別するための識別情報を記憶している認証用ＩＣタグを備えた認証部材の認証が可能な所定の動作を行う装置であって、
前記ＩＣタグ監視装置は、
前記認証用ＩＣタグを識別するための情報である認証用登録情報を記憶する認証用登録情報記憶手段と、
前記認証用ＩＣタグを呼び出す認証用呼出波を送信する認証用呼出波送信手段と、
前記認証用ＩＣタグから返送される認証用反射波を受信する認証用反射波受信手段と、
当該認証用反射波受信手段が、前記認証用登録情報記憶手段に記憶されている前記認証用登録情報の中の識別情報と同一の識別情報を含む前記認証用反射波を受信した場合に、前記所定の動作を行う装置を認証状態に移行させる認証判定手段と、
当該認証判定手段により認証状態に移行された場合に、第２識別情報を第１識別情報に変更する識別情報変更制御手段と
を備えたことを特徴とする請求項１又は２に記載の監視用ＩＣタグを備えた所定の動作を行う装置。
【請求項４】
前記所定の動作を行う装置は、遊技機であることを特徴とする請求項１乃至３のいずれかに記載の監視用ＩＣタグを備えた所定の動作を行う装置。
【請求項５】
前記遊技機は、
当該遊技機を設置する遊技機設置台に前記遊技機を固定するための機枠と、
前記遊技機の本体を前記機枠に設置するための本体枠と、
遊技球が流下する遊技領域を保護するための前面枠と、
鍵と錠とで構成され、前記機枠と前記本体枠、及び前記本体枠と前記前面枠とを施錠する施錠装置と
を備え、
前記認証部材は前記鍵に備えられていることを特徴とする請求項４に記載の監視用ＩＣタグを備えた所定の動作を行う装置。
【発明の詳細な説明】
【０００１】
【発明の属する技術分野】
本発明は、監視用ＩＣタグを備えた所定の動作を行う装置に関し、詳細には、所定の動作を行う装置の部材の移動を監視するための監視用ＩＣタグを備えた所定の動作を行う装置に関する。
【０００２】
【従来の技術】
従来、所定の動作を行う装置の一種である遊技機のうちパチンコ機においては、遊技者が不当に遊技球を獲得する不正行為が後を絶たず、種々の防止策が施されている。特に、遊技機の制御を司る制御基板の不正改造、例えば、不正ＲＯＭへの交換を防止するために、制御基板を収納する基板ボックスには、様々な工夫が施されている。例えば、基板ボックスに封印シールを設けたり、また、制御基板に触われないように、基板ボックスを閉じるかしめ方向にのみ回転する封印ビスによって、基板ボックスの開放を困難にしているものがある（例えば、特許文献１参照）。さらに、可動接点を用いて収納ボックスの開閉を検出して、その検出信号を記憶して、発光ダイオードにより報知するようにしているものもある（例えば、特許文献２参照）。また、基板ボックスの表面にＩＣタグを貼着し、ＩＤ読取装置からの送信要求に応じてＩＣタグからその内部に記憶された識別情報をＩＤ読取装置に送信させ、識別情報を確認することにより、基板ボックスごと制御基板がすり替えられたか否かを判断するようになっているものもある（例えば、特許文献３参照）。
【０００３】
【特許文献１】
特開平１０−２１６３２４号公報
【特許文献２】
特開平９−３４３６５号公報
【特許文献３】
特開２０００−２８８２１８号公報
【０００４】
しかし、封印シールを用いるものでは、基板ボックスを開放して不正ＲＯＭへの交換が終了した後に、精巧な偽造封印シールを張られてしまうと基板ボックスが開閉されたか否かを判断することは困難だった。また、封印ビスを用いるものでは、特殊な工具で強制的に封印ビスを開放方向へ回して基板ボックスを開放して不正ＲＯＭへの交換が行われてしまうことがあった。さらに、可動接点を用いて基板ボックスの開閉を検出するものでは、基板ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまい、基板ボックスの開閉を検出することができなくなると言う問題点があった。さらに、上記の従来技術では、基板ボックスが開閉されたか否かは、制御基板を目視しないと判断できないという問題点があり、このような不正行為は夜間に行われることが多いが、遊技場に何百台とある遊技機を毎朝点検確認するのは煩雑であった。
【０００５】
そこで、本出願人は特願２００２−２３２１９３号で遊技機の状態を監視する監視システム、遊技機及び装置管理システムを提案した。この出願では、遊技機の一種であるパチンコ機の基板ボックス及び大入賞口の開閉扉に監視用ＩＣタグを各々取り付け、これらの監視用ＩＣタグと通信するリーダライタユニット（ＩＣタグ監視装置）が、適時監視用ＩＣタグに呼出波を送信し、ＩＣタグから予めＩＣタグ監視装置に記憶されている監視用ＩＣタグのＩＤコードが含まれている反射波が返送されてくるか否かにより、部材の開閉を監視している。尚、大入賞口は通常は閉鎖された状態であり、この大入賞口が開放され、遊技機が入球すると遊技者は多数の遊技球を獲得できるため、薄いプラスチック板などで不正に開閉扉を開いて、遊技球を入賞させるという不正が発生している。そのため、大入賞口の開閉扉の開放の監視が必要となる。
【０００６】
【発明が解決しようとする課題】
しかしながら、特願２００２−２３２１９３号における発明において、基板ボックス等の監視用ＩＣタグが備えられている部材を故障によって交換した場合には、監視用ＩＣタグも新しいものと交換される。監視用ＩＣタグが交換されると、予めＩＣタグ監視装置に記憶されている登録情報中のＩＤコードも変更する必要が生じる。登録情報の設定は、遊技機設置島毎に設置され、ＩＣタグ監視装置に接続し監視結果を報知している管理機、管理機を取りまとめているホールコンピュータ、設定専用の装置等のパチンコ機以外の他の装置で行うことが考えられるが、部材の交換の都度、設定を行うことは手間である。
【０００７】
本発明は、上記課題を解決するためになされたものであり、所定の動作を行う装置の部材の移動を監視するための監視用ＩＣタグを備え、監視用ＩＣタグが交換された場合に自動的に登録情報の更新を行う、所定の動作を行う装置を提供することを目的としている。
【０００８】
【課題を解決するための手段】
上記課題を解決するため、請求項１に係る発明の監視用ＩＣタグを備えた所定の動作を行う装置では、所定の動作を行う装置に設けられている部材の移動を監視するための監視用ＩＣタグを備えた所定の動作を行う装置であって、前記所定の動作を行う装置は、前記監視用ＩＣタグと通信を行うＩＣタグ監視装置を備え、前記監視用ＩＣタグは、他のＩＣタグと区別するための識別情報を記憶している識別情報記憶手段を備え、前記ＩＣタグ監視装置は、監視のための情報であり、前記監視用ＩＣタグが備えられている位置を特定する位置特定符号に対応させて前記監視用ＩＣタグに記憶されている前記識別情報を記憶する登録情報記憶手段と、前記監視用ＩＣタグを呼び出す監視用呼出波を送信する監視用呼出波送信手段と、前記監視用ＩＣタグから返送される監視用反射波を受信する監視用反射波受信手段と、前記監視用反射波に含まれている識別情報である第１識別情報が、前記登録情報記憶手段において前記監視用呼出波を送信された監視用ＩＣタグが備えられている位置の位置特定符号に対応して記憶されている識別情報である第２識別情報と一致しない場合には、第２識別情報を第１識別情報に変更する識別情報変更手段とを備えている。
【０００９】
この構成の監視用ＩＣタグを備えた所定の動作を行う装置では、所定の動作を行う装置のＩＣタグ監視装置は、監視用ＩＣタグと通信を行う。また、監視用ＩＣタグの識別情報記憶手段は、他のＩＣタグと区別するための識別情報を記憶する。また、ＩＣタグ監視装置の登録情報記憶手段は、監視のための情報であり、監視用ＩＣタグが備えられている位置を特定する位置特定符号に対応させて監視用ＩＣタグに記憶されている識別情報を記憶し、監視用呼出波送信手段は、監視用ＩＣタグを呼び出す監視用呼出波を送信し、監視用反射波受信手段は、監視用ＩＣタグから返送される監視用反射波を受信し、識別情報変更手段は、監視用反射波に含まれている識別情報である第１識別情報が、登録情報記憶手段において監視用呼出波を送信された監視用ＩＣタグが備えられている位置の位置特定符号に対応して記憶されている識別情報である第２識別情報と一致しない場合には、第２識別情報を第１識別情報に変更する。
【００１０】
また、請求項２に係る発明の監視用ＩＣタグを備えた所定の動作を行う装置では、請求項１に記載の発明の構成に加えて、前記登録情報記憶手段では、前記位置特定符号を重複しないように記憶することを特徴とする構成となっている。
【００１１】
この構成の監視用ＩＣタグを備えた所定の動作を行う装置では、請求項１に記載の発明の作用に加えて、登録情報記憶手段では、位置特定符号を重複しないように記憶する。
【００１２】
また、請求項３に係る発明の監視用ＩＣタグを備えた所定の動作を行う装置では、請求項１又は２に記載の発明の構成に加えて、他のＩＣタグと区別するための識別情報を記憶している認証用ＩＣタグを備えた認証部材の認証が可能な所定の動作を行う装置であって、前記ＩＣタグ監視装置は、前記認証用ＩＣタグを識別するための情報である認証用登録情報を記憶する認証用登録情報記憶手段と、前記認証用ＩＣタグを呼び出す認証用呼出波を送信する認証用呼出波送信手段と、前記認証用ＩＣタグから返送される認証用反射波を受信する認証用反射波受信手段と、当該認証用反射波受信手段が、前記認証用登録情報記憶手段に記憶されている前記認証用登録情報の中の識別情報と同一の識別情報を含む前記認証用反射波を受信した場合に、前記所定の動作を行う装置を認証状態に移行させる認証判定手段と、当該認証判定手段により認証状態に移行された場合に、第２識別情報を第１識別情報に変更する識別情報変更制御手段とを備えたことを特徴とする。
【００１３】
この構成の監視用ＩＣタグを備えた所定の動作を行う装置では、請求項１又は２に記載の発明の作用に加えて、ＩＣタグ監視装置の認証用登録情報記憶手段は、認証用ＩＣタグを識別するための情報である認証用登録情報を記憶し、認証用呼出波送信手段は、認証用ＩＣタグを呼び出す認証用呼出波を送信し、認証用反射波受信手段は、認証用ＩＣタグから返送される認証用反射波を受信し、認証判定手段は、認証用反射波受信手段が、認証用登録情報記憶手段に記憶されている認証用登録情報の中の識別情報と同一の識別情報を含む認証用反射波を受信した場合に、所定の動作を行う装置を認証状態に移行させる。識別情報変更制御手段は、認証判定手段により認証状態に移行された場合に、第２識別情報を第１識別情報に変更する。
【００１４】
また、請求項４に係る発明の監視用ＩＣタグを備えた所定の動作を行う装置では、請求項１乃至３のいずれかに記載の発明の構成に加えて、前記所定の動作を行う装置は遊技機であることを特徴とする構成となっている。
【００１５】
この構成の監視用ＩＣタグを備えた所定の動作を行う装置では、請求項１乃至３のいずれかに記載の発明の作用に加えて、所定の動作を行う装置は遊技機が用いられる。
【００１６】
また、請求項５に係る発明の監視用ＩＣタグを備えた所定の動作を行う装置では、請求項４に記載の発明の構成に加えて、前記遊技機は、当該遊技機を設置する遊技機設置台に前記遊技機を固定するための機枠と、前記遊技機の本体を前記機枠に設置するための本体枠と、遊技球が流下する遊技領域を保護するための前面枠と、鍵と錠とで構成され、前記機枠と前記本体枠、及び前記本体枠と前記前面枠とを施錠する施錠装置とを備え、前記認証部材は前記鍵に備えられていることを特徴とする構成となっている。
【００１７】
この構成の監視用ＩＣタグを備えた所定の動作を行う装置では、請求項４に記載の発明の作用に加えて、遊技機の機枠は、遊技機を設置する遊技機設置台に遊技機を固定し、本体枠は、遊技機の本体を機枠に設置し、前面枠は、遊技球が流下する遊技領域を保護し、施錠装置は、鍵と錠とで構成され、機枠と本体枠、及び本体枠と前面枠とを施錠する。また、認証部材は鍵に備えられている。
【００１８】
【発明の実施の形態】
以下、本発明の一実施の形態について図面を参照して以下の順で説明する。
１．システム構成の概要説明
２．所定の動作を行う装置の構成の説明
３．所定の動作を行う装置内部のハード部分の構成の説明
４．被監視部材の説明
５．認証部材の説明
６．他のシステム構成要素の説明
７．発明部分のデータ構造の説明
８．発明部分の動作の説明
９．実施の形態の請求項との対比
１０．実施の形態の効果
１１．変形例の説明
【００１９】
１．システム構成の概要説明
図１は、本実施の形態の監視システムの構成図である。本実施形態の監視システムでは、遊技機の一種であるパチンコ機１が「所定の動作を行う装置」として機能し、リーダライタユニット（以下、「Ｒ／Ｗユニット」と称する。）３０が「ＩＣタグ監視装置」として機能する。パチンコ機１にはＲ／Ｗユニット３０が付属しており、遊技場内にある複数台のパチンコ機１を背中合わせに２列に並べて設置した遊技機設置島２００の各々に管理端末装置１００が設置されている。さらに、パチンコ機１に付属のＲ／Ｗユニット３０が店内ネットワーク１５０を介して管理端末装置１００に接続される構成となっている。また、管理端末装置１００は遊技場全体を管理するホールコンピュータ３００に接続されており、このホールコンピュータ３００が各管理端末装置１００を一括管理している。
【００２０】
また、パチンコ機１には、パチンコ機１の制御を行う基板が備えられている基板ボックス８０（図３参照）の上蓋部８０ａの内面の正面視右下に監視用ＩＣタグ８６が貼り付けられており（図７参照）、遊技球の入賞により多数の遊技球を払い出す大入賞口１６の開閉扉１６ａ（図２参照）に、監視用ＩＣタグ１８６が貼り付けられている（図８参照）。そして、Ｒ／Ｗユニット３０がこれらの監視用ＩＣタグ８６，１８６に監視用呼出波をアンテナを介して送信して監視用ＩＣタグ８６，１８６が備えられた基板ボックス８０及び大入賞口１６の開閉の監視、即ち上蓋８０ａ及び開閉扉１６ａの移動の監視を行っている。また、監視の結果、監視用ＩＣタグに異常が発生したり、異常が回復したりした場合には、その情報が監視情報としてＲ／Ｗユニット３０に記憶され、管理端末装置１００に送信される。そこで、管理端末装置１００は監視情報を報知し、その監視情報に対して遊技場内で係員が対応できるように構成されている。
【００２１】
尚、図７に示す基板ボックス８０の上蓋部８０ａ及び図８に示す大入賞口１６の開閉扉１６ａが「所定の動作を行う装置の部材」に相当し、開閉部材である上蓋部８０ａ及び開閉扉１６ａの開放が「部材の移動」に相当し、基板ボックス８０の上蓋部８０ａの内面の正面視右下及び大入賞口１６の開閉扉１６ａが「監視用ＩＣタグが備えられている位置」に相当している。本発明の監視システムでは、所定の動作を行う装置の部材の移動を監視するために、被監視部材の１又は複数の位置に監視用ＩＣタグを設置して、Ｒ／Ｗユニット３０が各監視用ＩＣタグに対して監視用呼出波を送信することにより被監視部材の移動を監視する。本実施の形態では、１つの被監視部材に対して１の位置にしか監視用ＩＣタグを設置していないが、例えば、基板ボックス８０について言うならば、上蓋部８０ａの内面の正面視右下だけでなく、正面視左上にも監視用ＩＣタグを設置して、１つの被監視部材に対して複数の位置に監視用ＩＣタグを設置することにより被監視部材の監視を行ってもよい。
【００２２】
また、本実施の形態では、監視用ＩＣタグにより基板ボックス８０や大入賞口１６の開放を監視した際に、監視用ＩＣタグから返送されてきた監視用反射波に含まれるＩＤコード（認証情報）が、予めＲ／Ｗユニット３０の登録情報に記憶されているものと異なる場合には、ＩＤコードエラーとなる。また、認証用ＩＣタグ１２６が埋め込まれた鍵１２１（図９参照）を用いることにより、パチンコ機１が認証状態となっている場合には、Ｒ／Ｗユニット３０の登録情報に記憶されているＩＤコードを、監視用反射波に含まれていたＩＤコードに自動的に変更することができる。また、この登録情報の更新の履歴である更新情報も管理端末装置１００へ送信される。
【００２３】
２．所定の動作を行う装置の構成の説明
次に、図２を参照してパチンコ機１について説明する。図２は、パチンコ機１の前面枠１１１及び本体枠１１０を開いた状態をパチンコ機１の前面から見た斜視図である。図２に示すように、パチンコ機１は、遊技機設置島２００に固定される機枠１１２と、本体１１３を囲い固定している本体枠１１０と、遊技盤２を保護する前面枠１１１とから構成されている。鍵穴１２０に鍵１２１を挿入し、鍵１２１を左方向へ回転させると前面枠１１１が手前に開き、鍵１２１を右方向へ回転させると本体枠１１０が手前に開く。また、鍵穴１２０の上部に位置する本体枠１１０の内部には、鍵１２１に埋め込まれている認証用ＩＣタグ１２６と通信を行うための認証用アンテナ１２８が備えられている。
【００２４】
また、パチンコ機１の本体枠１１０の内部には本体１１３がはめ込まれており、本体１１３の正面の上半分の部分には、略正方形の遊技盤２が設けられ、遊技盤２には、ガイドレール３で囲まれた略円形の遊技領域４が設けられていおり、前面枠１１１は透明なガラス板１１１ａを保持し、遊技盤２を覆っている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー４８が設けられている。また、遊技領域４の下部には、大入賞口１６が設けられている。尚、遊技盤２には、上記以外に、種々の入賞口、電飾ランプ、風車、障害釘及び図柄表示装置等が設けられている。
【００２５】
次に、図３を参照して、パチンコ機１の背面の構造について説明する。図３はパチンコ機１の背面図である。図３に示すように、パチンコ機１の左下部背面には、パチンコ機１の主制御を司る主制御基板４１を収納した基板ボックス８０が設けられ、基板ボックス８０の右隣には音基板４３が、音基板４３の右隣上方には電源基板４２が、その下方には払出制御基板４５がそれぞれ透明な樹脂製のボックスに収められて配置されている。さらに、基板ボックス８０の上方には、遊技盤の裏面を保護し、各種配線を覆うセンターカバー９０が配置され、そのセンターカバー９０の外側にＲ／Ｗユニット３０が設置されている。尚、Ｒ／Ｗユニット３０の電源は、電源基板４２からではなく遊技機設置島２００の電源装置（図示外）から供給されている。
【００２６】
３．所定の動作を行う装置内部のハード部分の構成の説明
次に、図４を参照してパチンコ機１及びパチンコ機１に付属したＲ／Ｗユニット３０の主な構成要素の電気的構成について説明する。図４は、パチンコ機１及びパチンコ機１に付属したＲ／Ｗユニット３０の電気的構成を示すブロック図である。
【００２７】
パチンコ機１には、主制御基板４１、電源基板４２、音基板４３、図柄表示基板４４、払出制御基板４５、電飾基板４６、中継基板４７、発射基板６６が設けられている。主制御基板４１には、各種の演算処理を行うＣＰＵ５１が設けられており、フラグやカウンタ値やデータやプログラム等を記憶するＲＡＭ５２と、制御プログラム及び各種の初期値のデータや図柄表示装置（図示外）への表示内容のデータ等を記憶したＲＯＭ５３とが接続している、これらのＣＰＵ５１、ＲＡＭ５２及びＲＯＭ５３は１つのＬＳＩ５０として一体にモールディングされている。また、ＣＰＵ５１は、Ｉ／Ｏインターフェース５４に接続しており、Ｉ／Ｏインターフェース５４には、Ｒ／Ｗユニット３０へデータを引き渡すための出力ポート５５、音基板４３、図柄表示基板４４、払出制御基板４５、電飾基板４６、中継基板４７、発射基板６６が接続している。また、主制御基板４１、音基板４３、図柄表示基板４４、払出制御基板４５、電飾基板４６、中継基板４７、発射基板６６はそれぞれ電源基板４２に接続し、電源の供給を受けている。さらに、パチンコ機１には監視用ＩＣタグ８６及び監視用ＩＣタグ１８６が、それぞれの被監視部材である基板ボックス８０及び大入賞口１６に貼り付けられている。
【００２８】
また、Ｒ／Ｗユニット３０には、Ｒ／Ｗユニット３０の制御を司るＣＰＵ３１が設けられており、ＣＰＵ３１にはフラグやデータ等を一時的に記憶するＲＡＭ３３、制御プログラム及び各種の初期値のデータ等を記憶したＲＯＭ３４、及び、登録情報、更新情報を記憶するＥＥＰＲＯＭ３２が接続している。また、ＣＰＵ３１にはＩ／Ｏインターフェース３８が接続し、Ｉ／Ｏインターフェース３８には管理端末装置１００に接続するための店内ネットワーク１５０に接続する通信回路３７及びパチンコ機１の主制御基板４１の出力ポート５５と接続する入力ポート３６が接続している。さらに、ＣＰＵ３１には、監視用ＩＣタグ８６，監視用ＩＣタグ１８６及び認証用ＩＣタグ１２６へ呼出波を送信し、反射波を受信するためのＲＦ回路３５が接続している。さらに、ＲＦ回路３５にはパチンコ機１に設置されている監視用アンテナ６８，監視用アンテナ１６８及び認証用アンテナ１２８が接続している。監視用アンテナ６８は監視用ＩＣタグ８６と通信をし，監視用アンテナ１６８は監視用ＩＣタグ１８６と通信をし、認証用アンテナ１２８は鍵１２１に埋め込まれている認証用ＩＣタグ１２６と通信をする。
【００２９】
次に、図５及び図６を参照して監視用ＩＣタグ８６の構造について説明する。図５は、監視用ＩＣタグ８６の平面図である。図６は、監視用ＩＣタグ８６の電気的回路構成を示すブロック図である。監視用ＩＣタグ８６には、図６に示すように、Ｒ／Ｗユニット３０からの監視用呼出波に応答して監視用反射波を放出するＲＦ回路８６ａ、アンテナ８６ｂ、ＥＥＰＲＯＭ８６ｃが搭載されている。また、監視用ＩＣタグ８６は、図５に示すように、薄いフレキシブルプリント基板上にアンテナ８６ｂ及びＩＣチップ８６ｄが設けられており、ＩＣチップ８６ｄには、ＲＦ回路８６ａとＥＥＰＲＯＭ８６ｃとが一体となって構成されている。さらに、ＥＥＰＲＯＭ８６ｃには、監視用ＩＣタグ８６を他の監視用ＩＣタグから識別するための識別情報であるＩＤコードが上書消去禁止区域に記憶されている。
【００３０】
Ｒ／Ｗユニット３０から監視用アンテナ６８を介して監視用呼出波が送られてくると、アンテナ８６ｂがこれを受信するが、この監視用呼出波には搬送波成分が含まれており、これを受信してＲＦ回路８６ａで整流して直流電圧を得る。従って、監視用ＩＣタグ８６は、電池や外部電源を使用せずに必要な時にいつでもデータを発信することができる。データの発信は、ＥＥＰＲＯＭ８６ｃからＩＤコードを読み出して監視用反射波に乗せ、ＲＦ回路８６ａから監視用アンテナ６８に向けて送信する。
【００３１】
尚、監視用ＩＣタグ８６と監視用ＩＣタグ１８６とは、同様の構造をしており、監視用ＩＣタグ１８６もＲＦ回路、アンテナ、ＥＥＰＲＯＭを搭載し、薄いフレキシブルプリント基板上にアンテナ及びＩＣチップが設けられて、ＩＣチップには、ＲＦ回路とＥＥＰＲＯＭとが一体となって構成されている。そして、ＥＥＰＲＯＭには、監視用ＩＣタグ１８６を他の監視用ＩＣタグから識別するための識別情報であるＩＤコードが上書消去禁止区域に記憶されている。
【００３２】
４．被監視部材の説明
次に、図７を参照して、基板ボックス８０を監視するために基板ボックス８０に備えられた監視用ＩＣタグ８６及び監視用アンテナ６８について説明する。図７は基板ボックス８０の斜視図である。尚、被監視部材である基板ボックス８０に貼り付けられた監視用ＩＣタグ８６の貼り付け位置を示す位置特定符号を、本実施の形態では「ＢＯＸ」とする。
【００３３】
図７に示すように、基板ボックス８０は、透明な樹脂製の平面視略長方形の上蓋部８０ａと、同じく透明な樹脂製の平面視略長方形の下蓋部８０ｃとから構成されている。また、上蓋部８０ａに対向する下蓋部８０ｃ上には、パチンコ機１の主制御を司る主制御基板４１が配置されている。そして、上蓋部８０ａの裏面側には、小型で長方形の監視用ＩＣタグ８６（図５参照）が接着剤等で接着されている。主制御基板４１の右下端部には、切り欠きが設けられ、その切り欠き位置には監視用ＩＣタグ８６と電磁波によるＲＦ送受信を行うためのコイル状の監視用アンテナ６８が下蓋部８０ｃに設けられ、監視用アンテナ６８は同軸ケーブルによりＲ／Ｗユニット３０に接続されている。
【００３４】
尚、本実施形態において、監視用ＩＣタグ８６と監視用アンテナ６８は、１３．５６ＭＨｚの短波帯で通信を行っている。この周波数での通信はノイズによる影響を受けにくいので、パチンコ機１の設置環境に適している。監視用アンテナ６８と監視用ＩＣタグ８６との距離は、上蓋部８０ａと下蓋部８０ｃを組み付けた状態で約３ｍｍになるように配置されている。この距離間ではＲＦ送受信が可能であり監視用アンテナ６８を介したＲ／Ｗユニット３０からの呼び出しに監視用ＩＣタグ８６が応答することができ、監視用アンテナ６８と監視用ＩＣタグ８６との距離が約５ｍｍを超えると通信不能となるように設定されている。この通信可能距離は、監視用アンテナ６８のコイルの巻き数やリアクタンス値により調節が可能である。このように通信可能距離を設定することにより、上蓋部８０ａのわずかな隙間の開放であっても検知することができ、また、振動等によるわずかな揺れでは通信不能とならないように調整されている。また、上述したように、この周波数帯での通信はノイズによる影響を受けにくいが、他の電磁波を使用する部材からのノイズの影響による誤動作を少しでも防ぐために、監視用ＩＣタグ８６や監視用アンテナ６８は、ソレノイドを使用している賞品払出装置や発射モータから離した位置である主制御基板４１の右下端部に配置している。
【００３５】
次に、図８を参照して、所定条件の成立により開閉扉１６ａを開閉する可変入賞装置の一種である大入賞口１６が設けられているアタッカ部材１６０への監視用ＩＣタグ１８６の設置について説明する。図８は、開閉扉１６ａが開放されている状態のアタッカ部材１６０の斜視図である。尚、被監視部材である大入賞口１６の開閉扉１６ａに貼り付けられた監視用ＩＣタグ１８６の貼り付け位置を示す位置特定符号を、本実施の形態では「ＤＡＩ」とする。
【００３６】
図８に示すように、アタッカ部材１６０の開閉扉１６ａの表面には、前述した監視用ＩＣタグ１８６（図５参照）が貼り付けられ、さらに監視用ＩＣタグ１８６を覆うように装飾シール等が貼付されて遊技者からは見えないようになっている。また、アタッカ部材１６０の開口部１６ｂである大入賞口１６の周囲には、監視用ＩＣタグ１８６を囲むようにループ形状の監視用アンテナ１６８が設けられ、監視用アンテナ１６８は同軸ケーブルによりＲ／Ｗユニット３０に接続されている。
【００３７】
この監視用ＩＣタグ１８６は、送受信方向に指向性があり、監視用アンテナ１６８と平行に位置した場合のみ送受信可能である。大入賞口１６の閉鎖状態では、開閉扉１６ａが大入賞口１６の開口部１６ｂを塞いでおり、監視用ＩＣタグ１８６と監視用アンテナ１６８はほぼ同一平面上に位置しているので、送受信可能であり、監視用アンテナ１６８を介したＲ／Ｗユニット３０からの監視用呼出波に対して監視用ＩＣタグ１８６から監視用反射波が返される。一方、図８に示すように開閉扉１６ａが開くと、監視用ＩＣタグ１８６と監視用アンテナ１６８とは平行でなくなり、通信可能な臨界角度を超えるので、監視用ＩＣタグ１８６はＲ／Ｗユニット３０からの呼び出しに応答できなくなる。
【００３８】
また、監視用アンテナ１６８と監視用ＩＣタグ１８６間の通信も１３．５６ＭＨｚの短波帯で行われており、この周波数帯での通信はノイズによる影響を受けにくいが、他の電磁波を使用する部材からのノイズの影響による誤動作を少しでも防ぐために、開閉扉１６ａの動作を制御する大入賞口開放ソレノイド７０は、監視用ＩＣタグ１８６や監視用アンテナ１６８から離したアタッカ部材１６０の左奥に配置されている。
【００３９】
５．認証部材の説明
次に、鍵１２１の構造について図９を用いて説明する。図９は、鍵１２１の平面図である。尚、この鍵１２１が「認証部材」に相当する。図９に示すように、鍵１２１は、把持部１２２のカバー内部に認証用ＩＣタグ１２６が埋め込まれている。認証用ＩＣタグ１２６は、把持部１２２のカバー内部に埋め込むために、細い円筒型（スティック型）に形成されている。また、その電気的回路構成は、監視用ＩＣタグ８６及び監視用ＩＣタグ１８６と同様で、認証用ＩＣタグ１２６もＲＦ回路、アンテナ、ＥＥＰＲＯＭを搭載している。円筒中にはアンテナ及びＩＣチップが設けられて、ＩＣチップには、ＲＦ回路とＥＥＰＲＯＭとが一体となって構成されている。そして、ＥＥＰＲＯＭには、監視用ＩＣタグ１２６を他のＩＣタグと識別するための識別情報であるＩＤコードが上書消去禁止区域に記憶されている。また、この鍵１２１は複数存在してもよい。ただし、その際には各鍵１２１に埋め込まれている認証用ＩＣタグ１２６のＩＤコードは、各認証用ＩＣタグ１２６毎に異なる。
【００４０】
６．他のシステム構成要素の説明
次に、管理端末装置１００の構成について図１０を参照して説明する。管理端末装置１００は、各パチンコ機１に備えられたＲ／Ｗユニット３０から監視情報及び更新情報を受信し、報知する。図１０は、管理端末装置１００の正面図である。図１０に示すように、管理端末装置１００は、上部に警告ランプ１０９を備えている。また、正面には表示器１０１を備え、表示器１０１の右側には上から監視ボタン１０３、監視履歴ボタン１０４、設定履歴ボタン１０５、設定ボタン１０６及び停止ボタン１０２を備え、正面下側には、入力キー１０７、矢印キー１０８が備えられている。
【００４１】
また、表示器１０１に表示される画面は、監視ボタン１０３、監視履歴ボタン１０４及び設定履歴ボタン１０５、設定ボタン１０６を押下することにより、切り替えることができる。監視ボタン１０３を押下すると、監視モード画面が表示され、監視履歴ボタン１０４を押下すると、監視履歴モード画面が表示され、設定履歴ボタン１０５を押下すると、設定履歴モード画面が表示され、設定ボタン１０６が押下されると設定モード画面が表示される。尚、起動時には、監視モード画面が表示されている。
【００４２】
監視モード画面では、管理端末装置１００に接続されているパチンコ機１のいずれかで基板ボックス８０及び大入賞口１６の不正開放が検出され、不正開放データがＲ／Ｗユニット３０から送信されてきた場合には、「１０４番台  大入賞口１６不正開放！！  １１：４０：２２」等のパチンコ機１の台番号、不正内容及び不正発生時刻が表示される。不正が発生していない場合には、「現在、正常稼働中」の表示がなされている。複数の不正が同時に発生した場合には、それらの報知画面が所定時間ごと、例えば５秒毎に切り替わり、繰り返し表示される。また、不正開放データがパチンコ機１のＲ／Ｗユニット３０から送信されてきた場合には、警告ランプ１０９が点灯し、遊技場の係員の注意を喚起するようになっており、停止ボタン１０２の押下により消灯させることができる。また、入力キー１０７及び矢印キー１０８は表示器１０１に表示された画面を操作する際に用いられる。
【００４３】
また、設定モード画面では、監視用ＩＣタグ８６及び監視用ＩＣタグ１８６についての登録情報や、認証用ＩＣタグ１２６についての認証用登録情報の設定を行ったりすることができる。また、監視履歴モード画面では、各パチンコ機１に備えられたＲ／Ｗユニット３０が基板ボックス８０及び大入賞口１６を監視した結果である監視情報が時系列に監視履歴情報として表示される。また、設定履歴モード画面では、設定モード画面を用いて行われた監視用ＩＣタグ８６、監視用ＩＣタグ１８６及び認証用ＩＣタグ１２６についての設定の情報、及び、パチンコ機１において自動的にＩＤコードが変更された更新情報が時系列に設定履歴情報として表示される。
【００４４】
図１０に示す例では、監視モード画面が表示されており、エラー１、エラー２、エラー３の３つの不正が発生し、エラー２の内容を示す画面が表示されている。エラー２は、１０４番台で大入賞口１６の不正開放が１１時４０分２２秒に発生している。
【００４５】
次に、管理端末装置１００の電気的構成について図１１を参照して説明する。図１１は管理端末装置１００の電気的構成を示すブロック図である。図１１に示すように、管理端末装置１００は、各種の演算を行うＣＰＵ９８が設けられ、ＣＰＵ９８には、フラグやデータ等を一時的に記憶するＲＡＭ１１３と、制御プログラム及び各種の初期値のデータ等を記憶したＲＯＭ９７と、監視情報、設定履歴情報、登録情報及び認証用登録情報等を記憶したＥＥＰＲＯＭ１１４と、Ｉ／Ｏインターフェース９９とが接続している。
【００４６】
また、Ｉ／Ｏインターフェース９９には、警告ランプ１０９、表示器１０１、監視ボタン１０３、監視履歴ボタン１０４、設定履歴ボタン１０５、停止ボタン１０２、入力キー１０７及び矢印キー１０８が備えられている。さらに、Ｉ／Ｏインターフェース９９は通信回路１１７を介して店内ネットワーク１５０に接続している。
【００４７】
７．発明部分のデータ構造の説明
次に、図１２を参照して、Ｒ／Ｗユニット３０のＥＥＰＲＯＭ３２の登録情報記憶エリアに記憶されている登録情報３２１について説明する。図１２は、Ｒ／Ｗユニット３０のＥＥＰＲＯＭ３２の登録情報記憶エリアに記憶されている登録情報３２１の模式図である。登録情報３２１には、基板ボックス８０及び大入賞口１６を監視するための情報が登録されている。登録情報３２１は、監視される位置毎に１つの登録データが登録されており、図１２に示すようにデータ番号欄３２１ａ、位置特定符号欄３２１ｂ、ＩＤコード欄３２１ｃ及び監視間隔時間欄３２１ｄが設けられている。
【００４８】
データ番号欄３２１ａには、登録データのデータ番号が「１」から順に振られている。位置特定符号欄３２１ｂには、その登録データがパチンコ機１の被監視部材のどの位置を監視するためのものであるかを特定するための位置特定符号が英数字で登録されている。登録データは１つの被監視部材の被監視位置に付き１つしか登録されないので、異なる登録データに同じ位置特定符号が記憶されることはない。ＩＤコード欄３２１ｃには、被監視位置に貼り付けられている監視用ＩＣタグに記憶されているＩＤコードが登録されている。監視間隔時間欄には、Ｒ／Ｗユニット３０が被監視部材に貼り付けられている監視用ＩＣタグに監視用アンテナを介して監視用呼出波を送信して、監視を行うタイミングを指定するための時間がミリ秒単位で登録されている。ここに登録されている時間毎に監視用呼出波が送信される。
【００４９】
図１２に示す例では、データ番号欄３２１ａが「１」である登録データの位置特定符号欄３２１ｂには「ＢＯＸ」、ＩＤコード欄３２１ｃには「１５５７００１Ｈ」、監視間隔時間欄３２１ｄには「３０００」ミリ秒が登録されている。尚、位置特定符号「ＢＯＸ」は基板ボックス８０を示している。また、データ番号欄３２１ａが「２」である登録データの位置特定符号欄３２１ｂには「ＤＡＩ」、ＩＤコード欄３２１ｃには「００１１Ｎ２２１」、監視間隔時間欄３２１ｄには「１０」ミリ秒が登録されている。尚、位置特定符号「ＤＡＩ」は大入賞口１６を示している。
【００５０】
次に、図１３を参照してＲ／Ｗユニット３０のＲＡＭ３３の監視処理使用データ記憶エリアに記憶されている監視処理使用データ３３１について説明する。図１３は、Ｒ／Ｗユニット３０のＲＡＭ３３の監視処理使用データ記憶エリアに記憶されている監視処理使用データ３３１の模式図である。監視処理使用データ３３１には、基板ボックス８０及び大入賞口１６を監視する際に使用されるカウンタやフラグが記憶されている。図１３に示すように、監視処理使用データ３３１には、データ番号欄３３１ａ、監視カウンタ欄３３１ｂ、ＩＤフラグ欄３３１ｃ及び消失フラグ欄３３１ｄが設けられている。尚、監視処理使用データ３３１のデータ番号欄３３１ａは、登録情報３２１のデータ番号欄３２１ａに記憶されているデータ番号と対応している。つまり、登録情報３２１のデータ番号欄３２１ａが「１」である被監視部材を監視する際には、監視処理使用データ３３１のデータ番号欄３３１ａの監視カウンタ、ＩＤフラグ及び消失フラグが使用される。
【００５１】
データ番号欄３３１ａには、データ番号が「１」から順に振られている。監視カウンタ欄３３１ｂには、当初、登録情報３２１の監視間隔時間がセットされ、図示外の時間管理プログラムにより１ミリ秒毎に減算される。また、ＩＤフラグ欄３３１ｃには、被監視位置に貼り付けられた監視用ＩＣタグに監視用呼出波を送信した際に返されて来た監視用反射波に含まれていたＩＤコードが、ＩＤコード欄３２１ｃに登録されているものと一致しない場合に、「ＩＤコードエラー」となり、「１」がセットされて「ＯＮ」状態となる。ＩＤコードエラーが発生していない状態では「ＯＦＦ」状態で「０」がセットされている。また、消失フラグ欄３３１ｄには、被監視位置に貼り付けられた監視用ＩＣタグに監視用呼出波を送信した際に監視用反射波が返されてこなかった場合に、「応答エラー」となり、「１」がセットされて「ＯＮ」状態となる。応答エラーが発生していない状態では「ＯＦＦ」状態で「０」がセットされている。
【００５２】
図１３に示す例では、データ番号欄３３１ａが「１」である登録データの監視カウンタ欄３３１ｂには「１９７８」、ＩＤフラグ欄３３１ｃには「０」、消失フラグ欄３３１ｄには「０」がセットされている。データ番号欄３３１ａが「１」である登録データの監視カウンタ欄３３１ｂには「８」、ＩＤフラグ欄３３１ｃには「０」、消失フラグ欄３３１ｄには「０」がセットされている。
【００５３】
次に、Ｒ／Ｗユニット３０のＥＥＰＲＯＭ３２の認証用登録情報記憶エリアに記憶されている認証用登録情報３２２について説明する。図１４は、Ｒ／Ｗユニット３０のＥＥＰＲＯＭ３２に記憶されている認証用登録情報３２２の模式図である。認証用登録情報３２２には、パチンコ機１を認証状態とするために認証用ＩＣタグ１２６を識別するための情報が登録されている。図１４に示すように、認証用登録情報３２２には、認証間隔時間欄３２２ａ及びＩＤコード欄３２２ｂが設けられ、ＩＤコード欄３２２ｂはさらにＩＤコード１欄、ＩＤコード２欄、ＩＤコード３欄、ＩＤコード４欄、ＩＤコード５欄、ＩＤコード６欄、ＩＤコード７欄、ＩＤコード８欄の８つの欄が設けられている。
【００５４】
監視間隔時間欄３２２ａには、Ｒ／Ｗユニット３０が認証用ＩＣタグ１２６に認証用アンテナ１２８を介して認証用呼出波を送信して、鍵１２１の挿入の確認を行うタイミングを指定するための時間がミリ秒単位で登録されている。ここに登録されている時間毎に認証用呼出波が送信される。ＩＤコード欄３２２ｂには、鍵１２１に埋め込まれている認証用ＩＣタグ１２６に記憶されているＩＤコードが記憶されている。遊技場内においては、例えば店員の数分だけ鍵１２１が複数存在することも考えられるので、ＩＤコード１欄〜ＩＤコード８欄の８つの欄が設けられている。すなわち、本実施の形態では、８つの鍵１２１を登録することができる。
【００５５】
図１４に示す例では、認証間隔時間欄３２２ａには「１００」ミリ秒が登録され、ＩＤコード欄３２２ｂのＩＤコード１欄には「１６１７４０９８」、ＩＤコード２欄には「ＦＴ１７６４９５」、ＩＤコード３欄には「０００８３０８２」が登録されており、ＩＤコード４欄〜ＩＤコード８欄には登録されていない。すわなち、本実施の形態では３つの鍵１２１が使用されていることになる。
【００５６】
次に、図１５を参照してＲ／Ｗユニット３０のＥＥＰＲＯＭ３２の監視情報記憶エリアに記憶されている監視情報３２３について説明する。図１５は、Ｒ／Ｗユニット３０のＥＥＰＲＯＭ３２の監視情報記憶エリアに記憶されている監視情報３２３の模式図である。この監視情報３２３には、基板ボックス８０及び大入賞口１６を監視した結果、異常が発生していたり、異常が回復していたりした際にその監視データが追加記憶される。図１５に示すように、監視情報３２３には、日付欄３２３ａ、時刻欄３２３ｂ、位置特定符号欄３２３ｃ及び内容欄３２３ｄが設けられている。日付欄３２３ａには、監視データが作成された日付がセットされ、時刻欄３２３ｂには、監視データが作成された時刻がセットされる。異常が発生した場合には発生日付及び発生時刻であり、異常が回復した場合に回復日付及び回復時刻となる。位置特定符号欄３２３ｃには、異常が発生した監視用ＩＣタグが設置されている位置を示す位置特定符号がセットされ、内容欄３２３ｄには、監視データの内容がコードでセットされており、「１１」は所定時間内に監視用反射波が返送されてこなかった消失エラーが発生したことを示し、「２１」はＩＤコードが登録情報３２１に記憶されているものと異なるＩＤコードエラーが発生したことを示し、「１２」は消失エラーが回復したことを示し、「２２」はＩＤコードエラーが回復したことを示している。
【００５７】
図１５に示す例では、１番目の監視データは、日付欄３２３ａに「２００２．１０．１６」、時刻欄３２３ｂに「２０：３０：１５」、位置特定符号欄３２３ｃに「ＤＡＩ」、内容欄３２３ｄに「１１」がセットされているので、２００２年１０月１６日の２０時３０分１５秒に大入賞口１６の開閉扉１６ａに設置されている監視用ＩＣタグ１８６に消失エラーが発生したことを示している。２番目の監視データは、日付欄３２３ａに「２００２．１０．１６」、時刻欄３２３ｂに「２０：３１：１９」、位置特定符号欄３２３ｃに「ＤＡＩ」、内容欄３２３ｄに「１２」がセットされているので、２００２年１０月１６日の２０時３１分１９秒に大入賞口１６の開閉扉１６ａに設置されている監視用ＩＣタグ１８６に発生していた消失エラーが回復したことを示している。３番目の監視データは、日付欄３２３ａに「２００２．１０．２２」、時刻欄３２３ｂに「３：１５：２４」、位置特定符号欄３２３ｃに「ＢＯＸ」、内容欄３２３ｄに「１１」がセットされているので、２００２年１０月２２日の３時１５分２４秒に基板ボックス８０に設置されている監視用ＩＣタグ８６に消失エラーが発生したことを示している。４番目の監視データは、日付欄３２３ａに「２００２．１０．２２」、時刻欄３２３ｂに「３：１８：４０」、位置特定符号欄３２３ｃに「ＢＯＸ」、内容欄３２３ｄに「１２」がセットされているので、２００２年１０月２２日の３時１８分４０秒に基板ボックス８０に設置されている監視用ＩＣタグ８６に発生していた消失エラーが回復したことを示している。５番目の監視データは、日付欄３２３ａに「２００２．１０．２２」、時刻欄３２３ｂに「３：１６：３６」、位置特定符号欄３２３ｃに「ＢＯＸ」、内容欄３２３ｄに「２１」がセットされているので、２００２年１０月２２日の３時１６分３６秒に基板ボックス８０に設置されている監視用ＩＣタグ８６にＩＤコードエラーが発生したことを示している。６番目の監視データは、日付欄３２３ａに「２００２．１０．２２」、時刻欄３２３ｂに「３：１８：４０」、位置特定符号欄３２３ｃに「ＢＯＸ」、内容欄３２３ｄに「２２」がセットされているので、２００２年１０月２２日の３時１８分４０秒に基板ボックス８０に設置されている監視用ＩＣタグ８６に発生していたＩＤコードエラーが回復したことを示している。
【００５８】
次に、図１６を参照してＲ／Ｗユニット３０のＥＥＰＲＯＭ３２の更新情報記憶エリアに記憶されている更新情報３２４について説明する。図１６は、Ｒ／Ｗユニット３０のＥＥＰＲＯＭ３２の更新情報記憶エリアに記憶されている更新情報３２４の模式図である。この更新情報３２４には、登録情報３２１の登録データのＩＤコードが更新された際にその更新データが追加記憶される。図１６に示すように、更新情報３２４には、更新日付欄３２４ａ、更新時刻欄３２４ｂ、位置特定符号欄３２４ｃ、更新前欄３２４ｄ及び更新後欄３２４ｅが設けられている。更新日付欄３２４ａには登録情報３２１を更新した日付がセットされ、更新時刻欄３２４ｂには更新した時刻がセットされ、位置特定符号欄３２４ｃには更新された登録データの位置特定符号がセットされ、更新前欄３２４ｄには更新前の登録データのＩＤコードがセットされ、更新後欄３２４ｅには更新後のＩＤコードがセットされる。
【００５９】
図１６に示す例では、１番目の更新日付欄３２４ａには「２００２．１０．１６」がセットされ、更新時刻欄３２４ｂには「１０：５０：４７」がセットされ、位置特定符号欄３２４ｃには「ＤＡＩ」がセットされ、更新前欄３２４ｄには「００１１Ｎ２２１」がセットされ、更新後欄３２４ｅには「ＭＡＳＩ８０８０」がセットされており、図１３に示す登録情報３２１のデータ番号「２」のＩＤコード欄３２１ｃの値が２００２年１０月１６日の１０時５０分４７秒に「００１１Ｎ２２１」から「ＭＡＳＩ８０８０」に更新されたことを示している。２番目の更新日付欄３２４ａには「２００２．１０．２２」がセットされ、更新時刻欄３２４ｂには「９：４５：２２」がセットされ、位置特定符号欄３２４ｃには「ＢＯＸ」がセットされ、更新前欄３２４ｄには「１５５７００１Ｈ」がセットされ、更新後欄３２４ｅには「１９７４０９２６」がセットされており、図１３に示す登録情報３２１のデータ番号「１」のＩＤコード欄３２１ｃの値が２００２年１０月２２日の９時４５分２２秒に「１５５７００１Ｈ」から「１９７４０９２６」に更新されたことを示している。
【００６０】
８．発明部分の動作の説明
ここで、図１７乃至図１９を参照して、Ｒ／Ｗユニット３０で行われる処理をフローチャートを用いて説明する。図１７は、Ｒ／Ｗユニット３０で行われるメイン処理のフローチャートである。このメイン処理の中で、監視用ＩＣタグの監視処理、認証用ＩＣタグ１２６の認証処理を行っている。図１８は、Ｒ／Ｗユニット３０で行われるメイン処理の中で行われる監視処理のフローチャートである。図１９は、Ｒ／Ｗユニット３０で行われるメイン処理の中で行われる認証処理のフローチャートである。
【００６１】
まず、図１７を参照してメイン処理について説明する。このメイン処理では、登録情報３２１に記憶されている監視間隔時間に従い、監視用アンテナから監視用呼出波を送信して、被監視部材に設置されている監視用ＩＣタグの監視をする監視処理を行い、認証用登録情報３２２に記憶されている間隔時間に従い、認証用アンテナから認証用呼出波を送信して、パチンコ機１を認証状態とするか否かの処理をする認証処理を行う。尚、このメイン処理は、Ｒ／Ｗユニット３０に電源が投入され、起動処理が終了した後に開始され、Ｒ／Ｗユニット３０の電源がＯＮである間継続して実施される。Ｒ／Ｗユニット３０は、パチンコ機１の電源基板から電源の供給を受けていないため、夜間にパチンコ機１の電源をＯＦＦしたとしても、電源断とはならず処理は中断されないため、夜間にも監視を続けることができる。
【００６２】
まず、データ番号カウンタｎに初期値の「０」をセットする（Ｓ１）。このデータ番号カウンタｎは、図１２に示す登録情報３２１のデータ番号をカウントするためのカウンタであり、データカウンタｎ番目の登録データに登録されている位置特定符号が示している被監視位置の監視が行われる。次いで、データ番号カウンタｎに「１」を加算し（Ｓ２）、データ番号カウンタｎの値が登録情報３２１のデータ数である「２」よりも大きいか否かを確認する（Ｓ３）。データ番号カウンタｎの値が「２」よりも大きくなければ（Ｓ３：ＮＯ）、監視処理使用データ３３１のｎ番目のデータの監視カウンタ欄３３１ｂ欄の値が「０」より大きいか否かを確認する（Ｓ４）。この監視カウンタ欄３３１ｂ欄の値は、本メイン処理とは別処理の時間管理プログラムにおいて、１ミリ秒毎に減算され、「０」以下となると監視時刻が到来したことになる。ｎ番目のデータの監視カウンタ欄３３１ｂ欄の値が「０」より大きい場合には（Ｓ４：ＹＥＳ）、まだ監視時刻となっていないので、Ｓ２へ戻る。ｎ番目のデータの監視カウンタ欄３３１ｂ欄の値が「０」より大きくない場合には（Ｓ４：ＮＯ）、監視時刻となっているので、次回の監視のために登録情報３２１のｎ番目の登録データの監視間隔時間欄３２１ｄに記憶されている値を監視カウンタ欄３３１ｂ欄へセットする（Ｓ５）。
【００６３】
次いで、ｎ番目の登録情報３２１の登録データの位置特定符号欄３２１ｂに記憶されている位置特定符号が「ＤＡＩ」であるか否かを確認する（Ｓ６）。位置特定符合「ＤＡＩ」は、大入賞口１６の開閉扉１６ａを示しており、この開閉扉１６ａはパチンコ機１が大当たり中であれば開放されるため、パチンコ機１が大当たり中には開閉扉１６ａの開放を監視する必要はない。そこで、位置特定符号が「ＤＡＩ」である場合には（Ｓ６：ＹＥＳ）、パチンコ機１が大当たり中であるか否かを確認し（Ｓ７）、大当たり中である場合には（Ｓ７：ＹＥＳ）、何もせずにＳ２へ戻る。大当たり中であるか否かの判断は、大当たりフラグにより行う。この大当たりフラグは主制御基板４１からの信号の受信により、ＯＦＦ／ＯＮが行われる。大当たり中でない場合には（Ｓ７：ＮＯ）、位置特定符号が「ＤＡＩ」である被監視位置、すなわち大入賞口１６の開閉扉１６ａの監視処理行う（Ｓ８）。また、ｎ番目の位置特定符号が「ＤＡＩ」でない場合には（Ｓ６：ＮＯ）、必ずどのような場合であっても監視が行われるので、Ｓ８へ進み、ｎ番目の登録情報３２１の登録データに記憶された位置への監視処理を行う。尚、この監視処理の詳細については、図１８で後述する。監視処理終了後には、Ｓ２へ戻る。
【００６４】
続いて、データ番号カウンタｎに「１」を加算し（Ｓ２）、データ番号カウンタｎの値が「２」よりも大きれば（Ｓ３：ＹＥＳ）、Ｓ９へ進む。Ｓ９では、ＲＡＭ３３に記憶されている認証カウンタ（図示外）の値が「０」より大きいか否かを確認する（Ｓ９）。この認証カウンタは、本メイン処理とは別処理の時間管理プログラムにおいて、１ミリ秒毎に減算され、「０」以下となると認証時刻が到来したことになる。認証カウンタの値が「０」より大きい場合には（Ｓ９：ＹＥＳ）、まだ認証時刻となっていないので、Ｓ１へ戻る。認証カウンタの値が「０」より大きくない場合には（Ｓ９：ＮＯ）、認証時刻となっているので、認証用登録情報３２２の認証間隔時間欄３２２ａの値を認証カウンタにセットして（Ｓ１０）、認証処理を行う（Ｓ１１）。そして、Ｓ１へ戻る。尚、Ｓ１１の認証処理の詳細については、図１９を用いて後述する。
【００６５】
次いで、図１８を参照してメイン処理の中で行われる監視処理（図１７：Ｓ８）についてフローチャートを用いて説明する。この監視処理は、データ番号がメイン処理中で更新されるデータ番号カウンタｎの値である登録情報３２１の登録データの位置特定符号欄３２１ｂに記憶されている位置特定符号が示す被監視位置を監視するための監視用アンテナから、監視用呼出波を送信することにより基板ボックス８０及び大入賞口１６の開放を監視する。
【００６６】
まず、ｎ番目の位置特定符号欄３２１ｂに記憶されている位置特定符号が示す位置を監視するために設けられている監視用アンテナから監視用呼出波を送信する（Ｓ２１）。この監視用アンテナは、位置特定符号が「ＤＡＩ」である場合には監視用アンテナ１６８であり、位置特定符号が「ＢＯＸ」である場合には監視用アンテナ６８である。次いで、監視用ＩＣタグから監視用反射波の返送が所定時間内にあるか否かを確認する（Ｓ２２）。本実施の形態では、この所定時間は例えば５０ミリ秒とする。
【００６７】
所定時間内に監視用反射波の返送がない場合には（Ｓ２２：ＮＯ）、監視用ＩＣタグが監視用アンテナと通信できない位置にある、すなわち監視用ＩＣタグの設置部材が不正に開放されていると考えられる。そこで、まず監視処理使用データ３３１のｎ番目の消失フラグ欄３３１ｄに「１」がセットされて「ＯＮ」となっているか否かを確認する（Ｓ２３）。ｎ番目の消失フラグ欄３３１ｄに「１」がセットされて「ＯＮ」となっている場合には（Ｓ２３：ＹＥＳ）、すでにこの不正開放が検知され、監視データが監視情報に記憶されているので、再度監視データを作成しないために何もせずに処理を終了する。ｎ番目の消失フラグ欄３３１ｄに「１」がセットされて「ＯＮ」となっていない場合には（Ｓ２３：ＮＯ）、今回の監視にて初めてこの不正開放が検知されたので、監視処理使用データ３３１のｎ番目の消失フラグ欄３３１ｄに「ＯＮ」をセットする（Ｓ２４）。そして、監視情報３２３へ消失エラー発生の監視データを追加記憶し（Ｓ２５）、管理端末装置１００へ新しい監視データを送信して（Ｓ２６）、処理を終了する。
【００６８】
所定時間内に監視用反射波の返送があった場合には（Ｓ２２：ＹＥＳ）、監視用反射波に含まれているＩＤコードが登録情報３２１のｎ番目の登録データのＩＤコード欄３２１ｃに記憶されているＩＤコードと一致するか否かを確認する（Ｓ２７）。
【００６９】
Ｓ２７にてＩＤコードが一致しない場合には（Ｓ２７：ＮＯ）、認証状態であるか否かを確認する（Ｓ２８）。認証状態であるか否かの確認はＲＡＭ３３に記憶されている認証フラグ（図示外）に「１」が記憶されており、「ＯＮ」であるか否かにより判断する。この認証フラグは、後述する認証処理（図１７：Ｓ１１、図１９参照）により認証状態に移行すると判断された場合に「１」がセットされて「ＯＮ」となり、認証状態を終了すると判断された場合に「０」がセットされて「ＯＦＦ」となる。
【００７０】
Ｓ２８にて認証状態である場合には（Ｓ２８：ＹＥＳ）、パチンコ機１が認証状態となっている状態で、ＩＤコードが不一致となっているので、権限のある係員が新しく設置された監視用ＩＣタグのＩＤコードをパチンコ機１に登録しようとしていると考えられるので、現在登録情報３２１に記憶されているＩＤコードを、監視用反射波に含まれているＩＤコードに変更しなければならない。そこで、登録情報３２１のｎ番目の登録データのＩＤコード欄３２１ｃに記憶されているＩＤコードを、監視用反射波に含まれていたＩＤコードに変更する（Ｓ２９）。そして、更新情報３２４へ更新データを追加記憶する（Ｓ３０）。そして、監視処理使用データ３３１のｎ番目のＩＤフラグ欄３３１ｃに「１」がセットされて「ＯＮ」となっているか否かを確認する（Ｓ３１）。「ＯＮ」である場合には（Ｓ３１：ＹＥＳ）、すでにＩＤコードエラーが検知され、監視データが監視情報に記憶されているので、再度監視データを作成しないため、Ｓ３０にて記憶された更新データのみを管理端末装置１００へ送信して（Ｓ３４）、処理を終了する。「ＯＮ」でない場合には（Ｓ３１：ＮＯ）、ｎ番目のＩＤフラグ欄３３１ｃに「０」をセットして「ＯＦＦ」とし（Ｓ３２）、監視情報３２３へＩＤコードエラー復帰の監視データを追加記憶し（Ｓ３３）、Ｓ３０にて記憶された更新データ及びＳ３３にて記憶された監視データを管理端末装置１００へ送信して（Ｓ３４）、処理を終了する。
【００７１】
Ｓ２８にて認証状態でない場合には（Ｓ２８：ＮＯ）、登録情報３２１の更新は行わない。そこで、監視処理使用データ３３１のｎ番目のＩＤフラグ欄３３１ｃに「１」がセットされて「ＯＮ」となっているか否かを確認する（Ｓ３５）。「ＯＮ」である場合には（Ｓ３５：ＹＥＳ）、すでにこのＩＤコードエラーが検知され、監視データが監視情報に記憶されているので、再度監視データを作成しないために何もせずに処理を終了する。「ＯＮ」でない場合には（Ｓ３５：ＮＯ）、ｎ番目のＩＤフラグ欄３３１ｃに「１」をセットして「ＯＮ」とし（Ｓ３６）、監視情報３２３へＩＤコードエラー発生の監視データを追加記憶し（Ｓ３７）、管理端末装置１００へ監視データを送信して（Ｓ３８）、処理を終了する。
【００７２】
Ｓ２７にてＩＤコードが一致した場合には（Ｓ２７：ＹＥＳ）、被監視位置に備えられた監視用ＩＣタグは正常である。そこで、監視処理使用データ３３１のｎ番目の消失フラグ欄３３１ｄ「１」がセットされて「ＯＮ」となっているか否かを確認する（Ｓ３９）。「ＯＮ」である場合には（Ｓ３９：ＹＥＳ）、消失エラーから復帰したのでｎ番目の消失フラグ欄３３１ｄに「０」をセットして「ＯＦＦ」とし（Ｓ４０）、監視情報３２３へ消失エラー復帰の監視データを追加記憶し（Ｓ４１）、監視データを管理端末装置１００へ送信して（Ｓ４２）、Ｓ４３へ進む。「ＯＮ」でない場合には（Ｓ３９：ＮＯ）、何もせずにＳ４３へ進む。
【００７３】
Ｓ４３では、監視処理使用データ３３１のｎ番目のＩＤフラグ欄３３１ｃに「１」がセットされて「ＯＮ」となっているか否かを確認する（Ｓ４３）。「ＯＮ」である場合には（Ｓ４３：ＹＥＳ）、ＩＤコードエラーから復帰しているのでｎ番目のＩＤフラグ欄３３１ｃに「０」をセットして「ＯＦＦ」とし（Ｓ４４）、監視情報３２３へＩＤコードエラー復帰の監視データを追加記憶し（Ｓ４５）、監視データを管理端末装置１００へ送信して（Ｓ４６）、処理を終了する。「ＯＮ」でない場合には（Ｓ４３：ＮＯ）、何もせずに、処理を終了する。
【００７４】
次いで、図１９を参照してメイン処理の中で行われる認証処理（図１７：Ｓ１１）についてフローチャートを用いて説明する。この認証処理は、認証用アンテナ１２８から認証用呼出波を送信し、認証用登録情報３２２に記憶されているＩＤコードのいずれかと一致するＩＤコードを含む認証用反射波の返送が鍵１２１に埋め込まれた認証用ＩＣタグ１２６からあった場合に、認証フラグに「１」をセットして「ＯＮ」として、認証状態に移行するものである。また、鍵１２１が鍵穴１２０から抜かれて、認証用反射波の返送がなくなった場合には認証フラグに「０」をセットして「ＯＦＦ」として認証状態から復帰する。
【００７５】
まず、認証用アンテナ１２８から認証用呼出波を送信する（Ｓ５１）。ついで、所定時間内に認証用ＩＣタグ１２６から認証用反射波の返送があるか否かを確認する（Ｓ５２）。ここで、所定時間は例えば５０ミリ秒とする。認証用反射波の返送がない場合には（Ｓ５２：ＮＯ）、認証用ＩＣタグ１２６が埋め込まれた鍵１２１が鍵穴１２０に差し込まれていないということなので、認証フラグに「０」をセットして「ＯＦＦ」とし（Ｓ５８）、処理を終了する。
【００７６】
また、認証用反射波の返送がある場合には（Ｓ５２：ＹＥＳ）、図１４に示す認証用登録情報３２２のＩＤコード欄３２２ｂ内のＩＤコードをカウントするためのＩＤコードカウンタｍに初期値「０」をセットする（Ｓ５３）。そしてＩＤコードカウンタｍに「１」を加算し（Ｓ５４）、ＩＤコードカウンタｍの値が認証用登録情報３２２に記憶可能なＩＤコードの最大数である「８」より大きいか否かを確認する（Ｓ５５）。「８」より大きくない場合には（Ｓ５５：ＮＯ）、認証用登録情報３２２のＩＤコード欄３２２ｂのｍ番目のＩＤコードと、認証用反射波に含まれていたＩＤコードが一致するか否かを確認する（Ｓ５６）。一致した場合には（Ｓ５６：ＹＥＳ）、認証フラグに「１」をセットして「ＯＮ」とし（Ｓ５７）、処理を終了する。
【００７７】
一致しなかった場合には（Ｓ５６：ＮＯ）、Ｓ５４に戻りＩＤコードカウンタｍに再び「１」を加算し（Ｓ５４）、ＩＤコードカウンタｍの値が「８」よりも大きいか否かを確認する（Ｓ５５）。「８」よりも大きい場合には（Ｓ５５：ＹＥＳ）、認証用反射波に含まれていたＩＤコードが認証用登録情報３２２のＩＤコード欄３２２ｂに記憶されていない、すなわち、正規の鍵１２１でない鍵１２１が鍵穴１２０に差し込まれているということになるので、認証フラグに「０」をセットして「ＯＦＦ」とし（Ｓ５８）、処理を終了する。
【００７８】
９．実施の形態の請求項との対比
尚、図６に示す監視用ＩＣタグ８６のＥＥＰＲＯＭ８６ｃ及び監視用ＩＣタグ１８６のＥＥＰＲＯＭが「識別情報記憶手段」に相当する。また、図１２に示す登録情報３２１が記憶されているＲ／Ｗユニット３０のＥＥＰＲＯＭ３２の登録情報記憶エリアが「登録情報記憶手段」に相当し、図４に示すパチンコ機１及びＲ／Ｗユニット３０の電気的構成を示すブロック図のＲＦ回路３５、監視用アンテナ６８及び監視用アンテナ１６８が「監視用呼出波送信手段」及び「監視用呼出波受信手段」に相当し、図１８に示す監視処理のフローチャートのＳ２９のＩＤコード変更処理を実行するＣＰＵ３１が「識別情報変更手段」として機能する。また、図１４に示す認証用登録情報３２２が記憶されているＲ／Ｗユニット３０のＥＥＰＲＯＭ３２が「認証用登録情報記憶手段」に相当し、図４に示すパチンコ機１及びＲ／Ｗユニット３０の電気的構成を示すブロック図のＲＦ回路３５及び認証用アンテナ１２８が「認証用呼出波送信手段」及び「認証用反射波受信手段」に相当し、図１９に示す認証処理のフローチャートのＳ５２〜Ｓ５８の処理を実行するＣＰＵ３１が「認証判定手段」として機能し、図１８に示す監視処理のフローチャートのＳ２８及びＳ２９の処理を実行するＣＰＵ３１が「識別情報変更制御手段」として機能する。
【００７９】
１０．実施の形態の効果
以上説明したように、上記の実施の形態の監視システムでは、監視用ＩＣタグ８６，監視用ＩＣタグ１８６により基板ボックス８０及び大入賞口１６の開放を監視し、その監視情報をＲ／Ｗユニット３０に記憶することができる。また、Ｒ／Ｗユニット３０に記憶された監視情報は、遊技場内に設置された管理端末装置１００にも送信され、記憶される。また、管理端末装置１００からはホールコンピュータ３００へ監視情報が送られて、ホールコンピュータ３００で遊技場内の全てのパチンコ機１の監視情報を管理できるようになっている。
【００８０】
また、鍵１２１に認証用ＩＣタグ１２６が埋め込まれており、パチンコ機１の鍵穴１２０に正規の鍵１２１を差し込むことにより、パチンコ機１が認証状態となる。そして、監視用ＩＣタグの監視処理中に、部材の取り替えによるＩＤコードエラーが発生した場合であっても、認証状態であれば、登録情報３２１に記憶されているＩＤコードを、監視用ＩＣタグから返送されてきた監視用反射波に含まれているＩＤコードに変更することができる。したがって、監視用ＩＣタグが備えられている基板ボックス８０や大入賞口１６の交換を行い、監視用ＩＣタグ８６又は監視用ＩＣタグ１８６が新しくなり、したがってＩＤコードも新しいＩＤコードに変わったとしても、鍵１２１を鍵穴１２０に差し込み、認証状態とすることにより、自動的に登録情報３２１のＩＤコードを変更することができる。
【００８１】
１１．変形例の説明
尚、本発明は、以上詳述した実施の形態に限定されるものではなく、種々の変更が可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。さらに、遊技機に限らず、所定の動作を行って製品を製造する工作機械、所定の動作を行って商品を販売する自動販売機、所定の動作を行ってサービスを提供するサービス提供装置等にも適用可能である。
【００８２】
また、上記実施の形態では、移動を監視される被監視部材としてパチンコ機１の基板ボックス８０及び大入賞口１６を扱い、夫々一箇所に監視用ＩＣタグを設置したが、移動を監視される部材はこれに限らず、他の入賞口や普通図柄始動ゲート、センターカバー９０や各種基板に設置して、その開閉状態を監視してもよい。また、本体枠１１０、前面枠１１１又は機枠１１２に監視用ＩＣタグを備え、前面枠１１１と本体枠１１０、本体枠１１０と機枠１１２の開閉を監視してもよい。また、監視用ＩＣタグを設置する場所は各部材に一箇所である必要はなく、複数の位置に設置してもよい。さらに、所定の動作を行う装置がパチンコ機１でない場合にはもちろん、移動を監視される部材は上記実施の形態の部材に限らず、所定の動作を行う装置に備えられ、開閉が行われる開閉部材や所定の動作を行う装置を構成する構成部材であればよく、開閉部材の開閉や構成部材の所在を監視するために、１つ又は複数の監視用ＩＣタグを開閉部材や構成部材に設置して、その部材の移動を監視してもよい。
【００８３】
また、上記実施の形態では、管理端末装置１００を夜間にも稼働させ、常時Ｒ／Ｗユニット３０から監視情報及び更新情報の送信を受けているが、管理端末装置１００の稼働形態はこれに限らず、夜間（営業時間外）は管理端末装置１００の電源を切り、Ｒ／Ｗユニット３０に管理端末装置１００が稼働していない間の監視情報を記憶させ、管理端末装置１００起動後に送信させるようにしてもよい。
【００８４】
また、上記実施の形態では認証用登録情報３２４に記憶できる認証用ＩＣタグ１２６のＩＤコードを８個として扱ったが、これは８個に限らずそれ以上であっても、以下であってもよく、１つであってもよい。また、上記実施の形態では、認証用ＩＣタグ１２６を鍵１２１に埋め込ませたが、認証用ＩＣタグ１２６を備えた認証部材は必ずしも鍵１２１に埋め込まれている必要はなく、操作担当者の名札や身分証、制服、筆記用具等に埋め込まれていてもよく、また、認証部材として単独で存在していてもよく、形状もカード型のプラスチック板、指輪型、スティック型、布地への埋め込みなどでもよい。
【００８５】
また、上記実施の形態では、監視処理の中で識別情報であるＩＤコードの変更を行っている。しかしながら、所定の動作を行う装置の部材を交換する場合には装置の電源をＯＦＦすることが多い。そこで、識別情報の変更を行うのは、パチンコ機１の起動後初めて監視を行う時のみとしてもよい。
【００８６】
また、ＩＤコードエラーが発生した（監視用反射波に含まれている識別情報が登録情報に記憶されているものと異なる）ということは、登録情報の他の登録方法（例えば管理端末装置１００による登録）においてＩＤコードの登録誤りをする、監視用ＩＣタグと監視用アンテナとの通信エラーが発生するなどのトラブル以外には、監視用ＩＣタグ又は監視用アンテナが備えられている部材がすり替えられたということは意味する。監視用ＩＣタグ又は監視用ＩＣタグが備えられている部材がすり替えを行う際には、必ず消失エラーが発生するため、異常は検知されることになる。したがって、被監視部材の移動を検知することは、消失エラーが発生したか否か（監視用ＩＣタグから監視用反射波が返送されてくるか否か）の確認で足り、ＩＤコードエラーが発生したか否かの判断を必ずしも行わなくてもよい。そこで、上記実施の形態では、ＩＤコードエラーが発生し、且つ、パチンコ機１が認証状態である場合に識別情報の変更を行っているが、ＩＤコードエラーが発生した場合には、認証状態である場合に限らず、必ず識別情報の変更を行うようにしてもよい。
【００８７】
【発明の効果】
以上、説明したように、請求項１に係る発明の監視用ＩＣタグを備えた所定の動作を行う装置では、所定の動作を行う装置のＩＣタグ監視装置は、監視用ＩＣタグと通信を行うことができる。また、監視用ＩＣタグの識別情報記憶手段は、他のＩＣタグと区別するための識別情報を記憶することができる。また、ＩＣタグ監視装置の登録情報記憶手段は、監視のための情報であり、監視用ＩＣタグが備えられている位置を特定する位置特定符号に対応させて監視用ＩＣタグに記憶されている識別情報を記憶し、監視用呼出波送信手段は、監視用ＩＣタグを呼び出す監視用呼出波を送信し、監視用反射波受信手段は、監視用ＩＣタグから返送される監視用反射波を受信し、識別情報変更手段は、監視用反射波に含まれている識別情報である第１識別情報が、登録情報記憶手段において監視用呼出波を送信された監視用ＩＣタグが備えられている位置の位置特定符号に対応して記憶されている識別情報である第２識別情報と一致しない場合には、第２識別情報を第１識別情報に変更することができる。したがって、監視用ＩＣタグを交換した場合には、自動で登録情報の変更が行われる。
【００８８】
また、請求項２に係る発明の監視用ＩＣタグを備えた所定の動作を行う装置では、請求項１に記載の発明の効果に加えて、登録情報記憶手段では、位置特定符号を重複しないように記憶することができる。したがって、１つの監視用ＩＣタグの設置場所についての情報が２つ以上登録されることはない。
【００８９】
また、請求項３に係る発明の監視用ＩＣタグを備えた所定の動作を行う装置では、請求項１又は２に記載の発明の効果に加えて、ＩＣタグ監視装置の認証用登録情報記憶手段は、認証用ＩＣタグを識別するための情報である認証用登録情報を記憶し、認証用呼出波送信手段は、認証用ＩＣタグを呼び出す認証用呼出波を送信し、認証用反射波受信手段は、認証用ＩＣタグから返送される認証用反射波を受信し、認証判定手段は、認証用反射波受信手段が、認証用登録情報記憶手段に記憶されている認証用登録情報の中の識別情報と同一の識別情報を含む認証用反射波を受信した場合に、所定の動作を行う装置を認証状態に移行させると、識別情報変更制御手段は、認証判定手段により認証状態に移行された場合に、第２識別情報を第１識別情報に変更することができる。したがって、監視用ＩＣタグの交換を行ったりした際に、監視用ＩＣタグの識別情報を新しい監視用ＩＣタグの第１識別情報に変更するためには、予め登録されている認証用ＩＣタグを備えた認証部材が必要となるので、操作を行うことができる人物を限定することができる。
【００９０】
また、請求項４に係る発明の監視用ＩＣタグを備えた所定の動作を行う装置では、請求項１乃至３のいずれかに記載の発明の効果に加えて、所定の動作を行う装置は遊技機を用いることができる。したがって、遊技機において不正が行われ易い部材の監視を監視用ＩＣタグを用いて行う場合に、その監視用ＩＣタグの識別情報の変更を遊技機で自動的に行うことができる。
【００９１】
また、請求項５に係る発明の監視用ＩＣタグを備えた所定の動作を行う装置では、請求項４に記載の発明の効果に加えて、遊技機の機枠は、遊技機を設置する遊技機設置台に遊技機を固定し、本体枠は、遊技機の本体を機枠に設置し、前面枠は、遊技球が流下する遊技領域を保護し、施錠装置は、鍵と錠とで構成され、機枠と本体枠、及び本体枠と前面枠とを施錠することができる。また、認証部材は鍵を備えることができる。したがって、遊技機の機枠、本体枠及び前面枠を開閉するための鍵と認証部材を兼用することができる。
【図面の簡単な説明】
【図１】図１は、本実施の形態の監視システムの構成図である。
【図２】図２は、パチンコ機１の前面枠１１１及び本体枠１１０を開いた状態をパチンコ機１の前面から見た斜視図である。
【図３】図３はパチンコ機１の背面図である。
【図４】図４は、パチンコ機１及びＲ／Ｗユニット３０の電気的構成を示すブロック図である。
【図５】図５は、監視用ＩＣタグ８６の平面図である。
【図６】図６は、監視用ＩＣタグ８６の電気的回路構成を示すブロック図である。
【図７】図７は基板ボックス８０の斜視図である。
【図８】図８は、開閉扉１６ａが開放されている状態のアタッカ部材１６０の斜視図である。
【図９】図９は、鍵１２１の平面図である。
【図１０】図１０は、管理端末装置１００の正面図である。
【図１１】図１１は管理端末装置１００の電気的構成を示すブロック図である。
【図１２】図１２は、Ｒ／Ｗユニット３０のＥＥＰＲＯＭ３２の登録情報記憶エリアに記憶されている登録情報３２１の模式図である。
【図１３】図１３は、Ｒ／Ｗユニット３０のＲＡＭ３３の監視処理使用データ記憶エリアに記憶されている監視処理使用データ３３１の模式図である。
【図１４】図１４は、Ｒ／Ｗユニット３０のＥＥＰＲＯＭ３２に記憶されている認証用登録情報３２２の模式図である。
【図１５】図１５は、Ｒ／Ｗユニット３０のＥＥＰＲＯＭ３２の監視情報記憶エリアに記憶されている監視情報３２３の模式図である。
【図１６】図１６は、Ｒ／Ｗユニット３０のＥＥＰＲＯＭ３２の更新情報記憶エリアに記憶されている更新情報３２４の模式図である。
【図１７】図１７は、Ｒ／Ｗユニット３０で行われるメイン処理のフローチャートである。このメイン処理の中で、監視用ＩＣタグの監視処理、認証用ＩＣタグ１２６の認証処理を行っている。
【図１８】図１８は、Ｒ／Ｗユニット３０で行われるメイン処理の中で行われる監視処理のフローチャートである。
【図１９】図１９は、Ｒ／Ｗユニット３０で行われるメイン処理の中で行われる認証処理のフローチャートである。
【符号の説明】
１  パチンコ機
１６  大入賞口
１６ａ  開閉扉
３０  Ｒ／Ｗユニット
３１  ＣＰＵ
３２  ＥＥＰＲＯＭ
３５  ＲＦ回路
６８  監視用アンテナ
８０  基板ボックス
８０ａ  上蓋部
８６  監視用ＩＣタグ
８６ｃ  ＥＥＰＲＯＭ
９８  ＣＰＵ
１００  管理端末装置
１１０  本体枠
１１１  前面枠
１１２  機枠
１２０  鍵穴
１２１  鍵
１２６  認証用ＩＣタグ
１２８  認証用アンテナ
１６８  監視用アンテナ
１８６  監視用ＩＣタグ
３２１  登録情報
３２３  監視情報
３２４  更新情報
【図１】
2004174115.tif 000003
【図２】
2004174115.tif 000004
【図３】
2004174115.tif 000005
【図４】
2004174115.tif 000006
【図５】
2004174115.tif 000007
【図６】
2004174115.tif 000008
【図７】
2004174115.tif 000009
【図８】
2004174115.tif 000010
【図９】
2004174115.tif 000011
【図１０】
2004174115.tif 000012
【図１１】
2004174115.tif 000013
【図１２】
2004174115.tif 000014
【図１３】
2004174115.tif 000015
【図１４】
2004174115.tif 000016
【図１５】
2004174115.tif 000017
【図１６】
2004174115.tif 000018
【図１７】
2004174115.tif 000019
【図１８】
2004174115.tif 000020
【図１９】
2004174115.tif 000021